【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
半導体レーザと、
前記半導体レーザからの光束を第１の光束と第２の光束に分岐する第１の光学素子と、
前記第１の光束を光情報記録媒体の記録膜面に集光し、反射光を受光する対物レンズと、
前記第２の光束の光路中に設けられた参照ミラーと、
第１の光検出器と、
第２の光検出器と、
光情報記録媒体によって反射された前記第１の光束と前記参照ミラーによって反射された前記第２の光束とが合波された光束を分岐して前記第１の光検出器と前記第２の光検出器に入射させる第２の光学素子と、
前記半導体レーザ、第１の光学素子、対物レンズ、参照ミラー、第１の光検出器、第２の光検出器及び第２の光学素子を保持する光ヘッドと、
前記光ヘッドを前記対物レンズの光軸方向に駆動するアクチュエータと、
前記第１の光検出器の出力信号と前記第２の光検出器の出力信号から再生信号とフォーカスエラー信号を生成する信号処理部とを有し、
前記信号処理部は前記第１の光検出器の出力信号と前記第２の光検出器の出力信号の差動信号から再生信号を生成し、
前記フォーカスエラー信号によって前記アクチュエータをフィードバック制御することを特徴とする光ディスク装置。
【請求項２】
請求項１記載の光ディスク装置において、光情報記録媒体によって反射された前記第１の光束と前記参照ミラーによって反射された前記第２の光束は前記第１の光学素子によって合波されることを特徴とする光ディスク装置。
【請求項３】
請求項１記載の光ディスク装置において、前記参照ミラーの位置を移動して前記第２の光束の光路長を可変する光路長可変手段を有し、前記再生信号が、前記第１の光検出器の出力信号と前記第２の光検出器の出力信号の総和の信号と同じ信号極性となり、かつ信号振幅が最大となるように、前記光路長可変手段を制御することを特徴とする光ディスク装置。
【請求項４】
請求項１記載の光ディスク装置において、前記第１の光学素子及び第２の光学素子は偏光性光分岐素子であることを特徴とする光ディスク装置。
【請求項５】
請求項４記載の光ディスク装置において、前記第１の光学素子と前記対物レンズの間、及び前記第１の光学素子と前記参照ミラーの間にそれぞれλ／４板が配置されていることを特徴とする光ディスク装置。
【請求項６】
請求項５記載の光ディスク装置において、前記半導体レーザと前記前記第１の光学素子の間、及び前記第１の光学素子と第２の光学素子の間にそれぞれλ／２板が配置されていることを特徴とする光ディスク装置。
【請求項７】
請求項１記載の光ディスク装置において、前記第２の光学素子は偏向性回折素子であり、前記第１の光検出器と第２の光検出器は一体に形成されていることを特徴とする光ディスク装置。
【請求項８】
請求項１記載の光ディスク装置において、前記第１の光学素子及び第２の光学素子は無偏光のビームスプリッタであり、前記第１の光学素子と前記対物レンズとの間に配置された第１の偏光ビームスプリッタと、前記第１の偏光ビームスプリッタと前記対物レンズとの間に配置されたλ／４板と、前記第１の光学素子と前記参照ミラーとの間に配置された第２の偏光ビームスプリッタと、前記第２の偏光ビームスプリッタと前記参照ミラーとの間に配置されたλ／４板とを有することを特徴とする光ディスク装置。
【請求項９】
請求項１記載の光ディスク装置において、前記第２の光束の光強度が前記第１の光束の光強度より大きいことを特徴とする光ディスク装置。
【請求項１０】
半導体レーザと、
前記半導体レーザからの光束を第１の光束と第２の光束に分岐する第１の光学素子と、
前記第１の光束を光情報記録媒体の記録膜面に集光し、反射光を受光する対物レンズと、
前記対物レンズを光軸方向に駆動するアクチュエータと、
前記第２の光束の光路中に設けられた参照ミラーと、
前記参照ミラーの位置を移動して前記第２の光束の光路長を可変する光路長可変手段と、
第１の光検出器と、
第２の光検出器と、
光情報記録媒体によって反射された前記第１の光束と前記参照ミラーによって反射された前記第２の光束とが合波された光束を分岐して前記第１の光検出器と前記第２の光検出器に入射させる第２の光学素子と、
前記第１の光検出器の出力信号と前記第２の光検出器の出力信号から再生信号とフォーカスエラー信号を生成する信号処理部とを有し、
前記信号処理部は前記第１の光検出器の出力信号と前記第２の光検出器の出力信号の差動信号から再生信号を生成し、
前記フォーカスエラー信号によって前記アクチュエータと前記光路長可変手段を同時にフィードバック制御することを特徴とする光ディスク装置。
【請求項１１】
請求項１０記載の光ディスク装置において、光情報記録媒体によって反射された前記第１の光束と前記参照ミラーによって反射された前記第２の光束は前記第１の光学素子によって合波されることを特徴とする光ディスク装置。
【請求項１２】
請求項１０記載の光ディスク装置において、前記第１の光学素子及び第２の光学素子は偏光性光分岐素子であることを特徴とする光ディスク装置。
【請求項１３】
請求項１２記載の光ディスク装置において、前記第１の光学素子と前記対物レンズの間、及び前記第１の光学素子と前記参照ミラーの間にそれぞれλ／４板が配置されていることを特徴とする光ディスク装置。
【請求項１４】
請求項１３記載の光ディスク装置において、前記半導体レーザと前記前記第１の光学素子の間、及び前記第１の光学素子と第２の光学素子の間にそれぞれλ／２板が配置されていることを特徴とする光ディスク装置。
【請求項１５】
請求項１０記載の光ディスク装置において、前記第２の光学素子は偏向性回折素子であり、前記第１の光検出器と第２の光検出器は一体に形成されていることを特徴とする光ディスク装置。
【請求項１６】
請求項１０記載の光ディスク装置において、前記第１の光学素子及び第２の光学素子は無偏光のビームスプリッタであり、前記第１の光学素子と前記対物レンズとの間に配置された第１の偏光ビームスプリッタと、前記第１の偏光ビームスプリッタと前記対物レンズとの間に配置されたλ／４板と、前記第１の光学素子と前記参照ミラーとの間に配置された第２の偏光ビームスプリッタと、前記第２の偏光ビームスプリッタと前記参照ミラーとの間に配置されたλ／４板とを有することを特徴とする光ディスク装置。
【請求項１７】
請求項１０記載の光ディスク装置において、前記第２の光束の光強度が前記第１の光束の光強度より大きいことを特徴とする光ディスク装置。
【請求項１８】
半導体レーザと、
前記半導体レーザからの光束を第１の光束と第２の光束に分岐する第１の光学素子と、
前記第１の光束を光情報記録媒体の記録膜面に集光し、反射光を受光する対物レンズと、
前記対物レンズを光軸方向に駆動するアクチュエータと、
前記第２の光束の光路中に設けられた参照ミラーと、
前記参照ミラーの位置を移動して前記第２の光束の光路長を可変する光路長可変手段と、
第１の光検出器と、
第２の光検出器と、
光情報記録媒体によって反射された前記第１の光束と前記参照ミラーによって反射された前記第２の光束とが合波された光束を分岐して前記第１の光検出器と前記第２の光検出器に入射させる第２の光学素子と、
前記第１の光検出器の出力信号と前記第２の光検出器の出力信号から再生信号を生成する信号処理部とを有することを特徴とする光ディスク装置。
【請求項１９】
半導体レーザと、
前記半導体レーザからの光束を第１の光束と第２の光束に分岐する第１の光学素子と、
前記第１の光束を光情報記録媒体の記録膜面に集光し、反射光を受光する対物レンズと、
前記対物レンズを光軸方向に駆動するアクチュエータと、
前記第２の光束の光路中に設けられた参照ミラーと、
前記参照ミラーの位置を移動して前記第２の光束の光路長を可変する光路長可変手段と、
第１の光検出器と、
第２の光検出器と、
光情報記録媒体によって反射された前記第１の光束と前記参照ミラーによって反射された前記第２の光束とが合波された光束を分岐して前記第１の光検出器と前記第２の光検出器に入射させる第２の光学素子と、
前記第１の光検出器の出力信号と前記第２の光検出器の出力信号から再生信号を生成する信号処理部と、
少なくとも前記第１の光束からフォーカスエラー信号を生成する手段とを有し、
少なくとも前記フォーカスエラー信号を用いて、前記アクチュエータと前記光路長可変手段を同時にフィードバック制御することを特徴とする光ディスク装置。